【手続補正書】
【提出日】平成16年10月13日(2004.10.13)
【手続補正１】
【補正対象書類名】明細書
【補正対象項目名】発明の名称
【補正方法】変更
【補正の内容】
【発明の名称】遊技場用のデータ管理システム及び携帯型データ表示機
【手続補正２】
【補正対象書類名】明細書
【補正対象項目名】特許請求の範囲
【補正方法】変更
【補正の内容】
【特許請求の範囲】
【請求項１】
遊技媒体を使用した遊技に応じて遊技媒体の払出動作を行うと共に、消費遊技媒体及び払出遊技媒体などに関するデータ管理用信号を出力するように構成された遊技機が多数台設置され、前記データ管理用信号に基づいて各遊技機での遊技結果などを示す遊技機データを算出可能に構成された遊技場用のデータ管理システムにおいて、
前記遊技機と対応した位置に設けられ、対応する遊技機についての前記遊技機データを順次蓄積するように構成されたデータ管理端末と、
このデータ管理端末に接続可能で、接続開始されてから接続解除されるまでに行われた遊技に関する前記遊技機データを前記データ管理端末からダウンロード可能に設けられ、そのダウンロードした遊技機データに基づいて、遊技客個人の遊技成績を含む個人成績データを算出すると共に、その個人成績データを表示するように構成された携帯型データ表示機とを備えたことを特徴とする遊技場用のデータ管理システム。
【請求項２】
前記携帯型データ表示機は、前記データ管理端末に接続された状態で、前記遊技機データをリアルタイムにダウンロードすることを特徴とする請求項１記載の遊技場用のデータ管理システム。
【請求項３】
前記携帯型データ表示機は、前記データ管理端末に接続された状態において、遊技客の手動操作に応じたタイミングでダウンロードを開始または終了することを特徴とする請求項１または２記載の遊技場用のデータ管理システム。
【請求項４】
前記携帯型データ表示機は、前記データ管理端末に接続された状態で、遊技客により予め設定された期間の遊技機データのみをダウンロードすることを特徴とする請求項１ないし３の何れかに記載の遊技場用のデータ管理システム。
【請求項５】
前記携帯型データ表示機は、前記データ管理端末からダウンロードした遊技機データを基礎データとして記憶保持すると共に、その基礎データに基づいて前記個人成績データの算出を行うように構成されていることを特徴とする請求項１ないし４の何れかに記載の遊技場用のデータ管理システム。
【請求項６】
前記携帯型データ表示機は、前記個人成績データの他に、前記遊技機データそのものを表示できるように構成されていることを特徴とする請求項１ないし５の何れかに記載の遊技場用のデータ管理システム。
【請求項７】
前記データ管理端末は、対応する遊技機から出力される前記データ管理用信号に基づいた演算を自ら行うことにより前記遊技機データを算出するように構成されていることを特徴とする請求項１ないし６の何れかに記載の遊技場用のデータ管理システム。
【請求項８】
前記個人成績データには、該当個人の通算成績を含む個人生涯成績データ、該当個人の所定期間での成績を含む個人期間成績データ、該当個人の遊技履歴を示す遊技履歴データ、遊技機の機種別の個人成績を示す機種別成績データの少なくとも一つを含むことを特徴とする請求項１ないし７の何れかに記載の遊技場用のデータ管理システム。
【請求項９】
遊技媒体を使用した遊技に応じて遊技媒体の払出動作を行うと共に、消費遊技媒体及び払出遊技媒体などに関するデータ管理用信号を出力するように構成された遊技機が多数台設置され、前記データ管理用信号に基づいて各遊技機での遊技結果などを示す遊技機データを算出可能に構成された遊技場用のデータ管理システムにおいて遊技客が使用する携帯型データ表示機であって、
前記遊技機と対応した位置に設けられたデータ管理端末に接続された状態で、接続開始されてから接続解除されるまでに行われた遊技に関する遊技機データを当該データ管理端末からダウンロード可能に設けられ、そのダウンロードした遊技機データに基づいて、遊技客個人の遊技成績を含む個人成績データを算出すると共に、その個人成績データを表示するように構成されていることを特徴とする携帯型データ表示機。
【手続補正３】
【補正対象書類名】明細書
【補正対象項目名】０００１
【補正方法】変更
【補正の内容】
【０００１】
【発明の属する技術分野】
本発明は、例えばパチンコ遊技機やスロットマシンのように、遊技媒体を使用した遊技に応じて当たり状態となったときに遊技媒体の払出動作を行うと共に、消費遊技媒体及び払出遊技媒体などに関するデータ管理用信号を出力するように構成された遊技機が多数台設置される遊技場用のデータ管理システム及び携帯型データ表示機に関する。
【手続補正４】
【補正対象書類名】明細書
【補正対象項目名】０００４
【補正方法】変更
【補正の内容】
【０００４】
本発明は上記事情に鑑みてなされたものであり、その目的は、遊技客個人の遊技成績を携帯型データ表示機に表示できるようになり、以て遊技客側の利便性を大幅に向上させ得るなどの効果を奏する遊技場用のデータ管理システム及び携帯型データ表示機を提供することにある。
【手続補正５】
【補正対象書類名】明細書
【補正対象項目名】００１０
【補正方法】変更
【補正の内容】
【００１０】
また、前記携帯型データ表示機を、前記データ管理端末からダウンロードした遊技機データを基礎データとして記憶保持すると共に、その基礎データに基づいて前記個人成績データの算出を行う構成とすることもできる（請求項５）。この構成によれば、前記個人成績データの算出に必要な基礎データが携帯型表示機に記憶保持されるから、その基礎データに基づいた個人データ成績データの算出動作を任意に時期に行い得るようになり、遊技客側の利便性が一段と向上するようになる。
請求項９記載の発明は、遊技媒体を使用した遊技に応じて遊技媒体の払出動作を行うと共に、消費遊技媒体及び払出遊技媒体などに関するデータ管理用信号を出力するように構成された遊技機が多数台設置され、前記データ管理用信号に基づいて各遊技機での遊技結果などを示す遊技機データを算出可能に構成された遊技場用のデータ管理システムにおいて遊技客が使用する携帯型データ表示機を対象としたものであり、このような携帯型表示機において、前記遊技機と対応した位置に設けられたデータ管理端末に接続された状態で、接続開始されてから接続解除されるまでに行われた遊技に関する遊技機データを当該データ管理端末からダウンロード可能に設けられ、そのダウンロードした遊技機データに基づいて、遊技客個人の遊技成績を含む個人成績データを算出すると共に、その個人成績データを表示するように構成したものである。
このような構成によれば、携帯型データ表示機を携帯した遊技客は、自身の個人成績データを知りたい場合には、その遊技期間中において、携帯型データ表示機をデータ管理端末に接続する。すると、当該携帯型データ表示機にあっては、接続開始されてから接続解除されるまでに行われた遊技に関する遊技機データをデータ管理端末からダウンロードするようになり、そのダウンロードした遊技機データに基づいて、遊技客個人の遊技成績を含む個人成績データを算出すると共に、その個人成績データを表示するようになる。従って、従来不可能であった遊技客個人の遊技成績の表示を、携帯型データ表示機で行い得るようになり、これにより遊技客側の利便性を大幅に向上させ得るようになる。また、携帯型データ表示機をデータ管理端末に接続した期間中において遊技機データのダウンロードが自動的に行われることになるから、遊技客側で余分な操作を行う必要がなくなって、この面からも利便性が向上すると共に、誤操作の恐れがなくなるという利点が出てくる。
【手続補正６】
【補正対象書類名】明細書
【補正対象項目名】００１４
【補正方法】変更
【補正の内容】
【００１４】
上記データ表示機４は、所謂モバイルコンピュータとして構成されたもので、図２に示すように、前記接続ケーブル５ａ及びプラグ５ｂの他に、液晶を使用した表示パネル５、それぞれモーメンタリタイプのスイッチより成るメニュー選択スイッチ６、メニュー確定スイッチ７及びメニューキャンセルスイッチ８、オルタネータタイプのスイッチより成るデータ収集スイッチ９、ポインティングデバイスとして設けられたタッチペン１０、上記表示パネル５の表面に設けられたタッチペン１０用の入力装置（図示せず）、電源スイッチ（図示せず）などを有し、内部にはＣＰＵなどを含んで構成された制御回路（図示せず）を有する。
【手続補正７】
【補正対象書類名】明細書
【補正対象項目名】００５９
【補正方法】変更
【補正の内容】
【００５９】
尚、図２１には、上記基礎データを記憶する際のフォーマット例が示されている。この図２１において、基礎データは、データ表示機４を台間玉貸機２に接続した日付毎に区分されて記憶されるものであり、各日付データと対応付けた状態で、対応するパチンコ遊技機１の台番号、機種コード、接続開始時刻、接続終了時刻、アウト玉数、セーフ玉数、差玉数、スタート回数、特賞発生回数、確率変動状態発生回数、遊技に使用した金額、遊技に使用した貯玉数の各データが記憶される。但し、この図２１において、「χ」、「Ｙ」、「Ｍ」、「Ｄ」は任意の十進数を示しているが、実際のデータは二進数により記憶される。
【手続補正８】
【補正対象書類名】明細書
【補正対象項目名】００６３
【補正方法】変更
【補正の内容】
【００６３】
以上要するに、上記した本実施例の構成によれば、データ表示機４を携帯した遊技客は、自身の個人成績データを知りたい場合には、パチンコ遊技機１での遊技期間中において、データ表示機４のプラグ５ｂを台間玉貸機２のジャック２ｄに接続した状態とする。すると、当該台間玉貸機２からは、対応するパチンコ遊技機１についての遊技機データが自動的に出力されて、その遊技機データがデータ表示機４側にダウンロードされるようになり、データ表示機４は、そのダウンロード期間における遊技機データを基礎データとして記憶保持すると共に、その基礎データを自身で加工することによって遊技客個人の遊技成績を含む個人成績データを算出し、その算出個人成績データを表示するようになる。従って、従来不可能であった遊技客個人の遊技成績の表示を、データ表示機４で行い得るようになり、これにより遊技客側の利便性を大幅に向上させ得るようになる。この場合、データ表示機４を台間玉貸機２に対しワイヤード接続した期間中において、遊技機データのダウンロードが自動的に行われることになるから、遊技客側で余分な操作を行う必要がなくなって利便性がさらに向上すると共に、誤操作の恐れがなくなるという利点が出てくる。